(57)【要約】      （修正有）【課題】食べ物を挟む時の安定度を増し、かつ、炊飯時に使用することで木の香りを米に与える効果が高い箸の構造を提供する。【解決手段】箸構造は柱状形態で、握持端２、及び、挟持端１を有し、それぞれ、握持端２の上部、及び、挟持端１は複数の孔１０を交差で間隔的に設置し、且つ、正面に設置された孔１０と側面の孔１０は９０度角で、箸構造の強度を破壊するのを防止する。食べ物を挟む時、箸の挟持状態は、挟持物のある部位が挟持されて孔１０内に進入し、摩擦効果を増加して、食べ物を挟持する時の安定度を増加し、滑落しにくくなる。箸を炊飯器の中に立置し、炊飯中の米粒と木材間の異なる導熱効果により、加熱時に、箸構造が均一に散熱し、且つ、孔１０により、米と木材の異なる導熱効果により、米の対流を増加し、孔の熱伝導効果により、木材が熱を受けて、香りを米粒中に散発させる。【選択図】図２
0003149488.tif 000002
【実用新案登録請求の範囲】
【請求項１】
箸構造であって、握持端、及び、挟持端を有し、それぞれ、前記握持端の上部、及び、前記挟持端は複数の孔を交差で間隔的に設置し、且つ、正面に設置された孔と側面の孔は９０度角で、箸構造の強度を破壊するのを防止し、竹木材質特有の植物フィトンチッドが、箸を使う時の熱伝導により釈放され、米を更においしくすることを特徴とする箸構造。
【請求項２】
箸の材質は金属でもよく、金属の箸は熱伝導が早いので、火傷するのを防止するため、穴を開けて散熱しやすくすることを特徴とする請求項１に記載の箸構造。
【請求項３】
使用時、個人の好みで箸を炊飯器に置入し、炊飯時の米粒と木材間の導熱効果により、加熱時に、箸構造が緩慢に散熱され、且つ、孔により、米と木材の異なる導熱効果により、米の対流を増加し、孔により熱伝導効果を生成し、木材が熱を受けて、香りを米中に均一に散発させ、且つ、本考案の間隔効果、及び、木材の導熱係数は米を含む水と異なるので、対流を増加させ、均一な導熱を達成し、且つ、木材自身は水分の調節、吸収効果を有するので、米がおいしく炊けることを特徴とする請求項１に記載の箸構造。
【考案の詳細な説明】
【技術分野】
【０００１】
本考案は箸の構造に関するものであって、特に、箸の前後、及び、両側が、交差方式で、箸の長さによって等距離で複数の孔を設置し、炊飯器の各隅に配置でき、フィトンチッドが均一に米粒に浸透して、香りを増加し、フィトンチッド、及び、木材の天然の香りを増加する箸の構造に関するものである。
【背景技術】
【０００２】
図１を参照すると、公知の箸１００の前段は複数の環状スロット１０１を設置し、環状スロット１０１は互いの間に平滑段１０２を有し、且つ、環状スロット１０１は浅く、使用上、食べ物を挟着するのが難しい。
【考案の開示】
【考案が解決しようとする課題】
【０００３】
本考案の目的は、箸構造を提供し、上述の問題を改善することにある。
【課題を解決するための手段】
【０００４】
上述の目的を達成するため、本考案の箸構造は、複数の孔が交錯して設置され、構造強度を破壊せず、使用時に、個人の好みで箸を炊飯器に置入し、炊飯時の米粒と木材間の導熱効果により、加熱時に、箸構造が緩慢に散熱され、且つ、孔により、米と木材の異なる導熱効果により、米の対流を増加し、孔により熱伝導効果を生成し、木材が熱を受けて、香りを米中に均一に散発させ、且つ、本考案の間隔効果、及び、木材の導熱係数は米を含む水と異なるので、対流を増加させ、均一な導熱を達成し、且つ、木材自身は水分の調節、吸収効果を有するので、米がおいしく炊ける。
【考案の効果】
【０００５】
本考案により、香りを増加し、フィトンチッドと木材の香りを釈放し、交錯した孔の熱伝導効果により、木材が熱を受けて香りを均一に米に散発し、米が天然健康成分を保持し、リサイクル材料（大型のヒノキ家具の廃棄材料）を利用するので、環境に優しい、という長所が得られる。
【考案を実施するための最良の形態】
【０００６】
図２と図３で示されるように、本考案の箸構造は柱状形態で、握持端２、及び、挟持端１を有し、それぞれ、握持端２の上部、及び、挟持端１は複数の孔１０を交差で間隔的に設置し、且つ、正面に設置された孔１０と側面の孔１０は９０度角で、箸構造の強度を破壊するのを防止する。
【０００７】
図４で示されるように、箸の挟持端１を孔１０に設置することにより、箸が野菜、肉類等の食べ物を挟む時、箸の挟持状態は、挟持物２０のある部位が挟持されて孔１０内に進入し、摩擦効果を増加して、食べ物を挟持する時の安定度を増加し、滑落しにくくなる。
【０００８】
図５で示されるように、本考案は使用時に、個人の好みにより、箸構造を炊飯器３０中に置入し、炊ける時の米粒と木材間の異なる導熱効果により、加熱時に、箸構造が均一に散熱し、且つ、孔１０により、米と木材の異なる導熱効果により、米の対流を増加し、孔の熱伝導効果により、木材が熱を受けて、香りを米粒中に散発させる。また、本考案の間隔効果、及び、木材の導熱は米を含む水と異なるので、対流を増加し、導熱を均一にし、且つ、木材自身は水分の調節と吸収の効果を有するので、米がおいしくなる。
【０００９】
本考案は、１、香りを増加し、フィトンチッドと木材の香りを釈放する。２、交錯した孔の熱伝導効果により、木材が熱を受けて香りを均一に米に散発し、米が天然健康成分を保持する。３．本考案は、リサイクル材料（大型のヒノキ家具の廃棄材料）を利用するので、環境に優しい。
【図面の簡単な説明】
【００１０】
【図１】公知の箸の外観図である。
【図２】本考案の構造の外観図である。
【図３】本考案の箸構造の断面図である。
【図４】本考案の実施例を示す図である。
【図５】本考案のもう一つの実施例を示す図である。
【符号の説明】
【００１１】
公知の箸１００
環状スロット１０１
平滑段１０２
挟持端１
握持端２
孔１０
炊飯器３０
【図１】
0003149488.tif 000003
【図２】
0003149488.tif 000004
【図３】
0003149488.tif 000005
【図４】
0003149488.tif 000006
【図５】
0003149488.tif 000007
【手続補正書】
【提出日】平成20年12月8日(2008.12.8)
【手続補正１】
【補正対象書類名】実用新案登録請求の範囲
【補正対象項目名】全文
【補正方法】変更
【補正の内容】
【実用新案登録請求の範囲】
【請求項１】
竹木材質を以て造った箸の構造部分である握持端側と挟持端側の長さ方向の面に所望の間隔を開けて箸の構造部分である握持部端側と挟持端側の長さ方向の面に所望の間隔を開けて箸構造の強度を破壊するのを阻止し、竹木材質特有の植物フィトンチッドが、箸を使うときの熱伝導により釈放され、米を更においしくするための機能を発揮する孔として箸の軸心を横切って通過する縦孔、この縦孔に対して直角方向から軸心を横切って通過する横孔を所望の間隔を開けて交互に穿設して成る構成とすることを特徴とする箸。
【手続補正３】
【補正対象書類名】明細書
【補正対象項目名】０００１
【補正方法】変更
【補正の内容】
【０００１】
本考案は材料である木材の特質を活かした箸の構造に関するものであって、特に、箸の前後、及び、両側が、交差方式で、箸の長さによって等距離で複数の孔を設置し、炊飯器の各隅に配置でき、フィトンチッドが均一に米粒に浸透して、香りを増加し、フィトンチッド、及び、木材の天然の香りを増加する材料である木材の特質を活かした箸の構造に関するものである。
【手続補正４】
【補正対象書類名】明細書
【補正対象項目名】０００３
【補正方法】変更
【補正の内容】
【０００３】
本考案の目的は、従来型の箸の不都合を解消し、材料である木材の特質を活かした箸を提供し、上述の問題を改善することにある。
【手続補正５】
【補正対象書類名】明細書
【補正対象項目名】０００４
【補正方法】変更
【補正の内容】
【０００４】
上述の目的を達成するため、本考案の箸の構造は、箸本体の所望の個所に複数の孔が所望の間隔をおいて中心軸線に向かった直交面に交錯して設置され、構造強度を破壊せず、使用時に、個人の好みで箸を炊飯器に置入し、炊飯時の米粒と木材間の導熱効果により、加熱時に、箸の材料の木材が緩慢に散熱され、且つ、箸に形成した孔により、米と木材の異なる導熱効果による米の熱対流を増加し、孔により熱伝導効果を生成し、木材が熱を受けて、香りを米中に均一に散発させ、且つ、本考案の間隔効果、及び、木材の導熱係数は米が含む水と異なるので、熱対流を増加させ、均一な導熱を達成し、且つ、木材自身は水分の調節、吸収効果を有するので、米がおいしく炊ける。
【手続補正６】
【補正対象書類名】明細書
【補正対象項目名】０００６
【補正方法】変更
【補正の内容】
【０００６】
図２と図３で示されるように、本考案の構造とした箸は柱状形態で、握持端２、及び、挟持端１を有し、それぞれ、握持端２の上部、及び、挟持端１は複数の孔１０を交叉状態で間隔的に設置し、且つ、正面に設置された孔１０と側面の孔１０は９０度間隔で交叉させて穿孔するので、箸構造の強度を破壊するのを防止する。
【手続補正７】
【補正対象書類名】明細書
【補正対象項目名】０００８
【補正方法】変更
【補正の内容】
【０００８】
図５で示されるように、本考案は使用時に、個人の好みにより、上記した構造の箸を炊飯器３０中に置入し、炊ける時の米粒と木材間の異なる導熱効果により、加熱時に、上記した構造の箸が均一に散熱し、且つ、孔１０により、米と木材の異なる導熱効果により、米の熱対流を増加し、孔の熱伝導効果により、木材が熱を受けて、香りを米粒中に散発させる。また、本考案の間隔効果、及び、木材の導熱は米を含む水と異なるので、熱対流を増加し、導熱を均一にし、且つ、木材自身は水分の調節と吸収の効果を有するので、米がおいしくなる。
【手続補正書】
【提出日】平成21年1月23日(2009.1.23)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
竹木材質を以て造った箸の構造部分である握持部端側と挟持端側の長さ方向の面に所望の間隔を開けて箸構造の強度を破壊するのを阻止し、竹木材質特有の植物フィトンチッドが、箸を使うときの熱伝導により釈放され、米を更においしくするための機能を発揮する孔として箸の軸心を横切って通過する縦孔、この縦孔に対して直角方向から軸心を横切って通過する横孔を所望の間隔を開けて交互に穿設して成る構成とすることを特徴とする箸。